(57)【要約】  【課題】塵芥収集車を改良するものであり、押し込み板２等からの塵芥のはみ出しや噛み込みを防止することが可能であり、清掃の手間を軽減することができる塵芥収集車を開発することを課題とする。  【解決手段】塵芥収集車は、車両１０に塵芥収集装置１１が搭載されたものである。塵芥収集装置１１は、塵芥を収容する塵芥収容箱１２と、塵芥投入箱１３によって構成されている。塵芥投入箱１３は、「回転板式積込装置」を採用するものであり、内部に壁面構成板２０と、揺動式の押し込み板２と、回転板３と、塵芥投入槽５が内蔵されている。壁面構成板２０の下辺と押し込み板２の中間部分との間に隙間３１があるが、間３１は、可撓性を有するカバー部材３２で覆われており、生ゴミ等の塵芥７が隙間３１に噛み込むことはない。【選択図】図２
2015034090.tif 000002
【特許請求の範囲】
【請求項１】
車両と、車両に搭載された塵芥収集装置によって構成される塵芥収集車であって、前記塵芥収集装置は、塵芥を収納する塵芥収納空間と、塵芥収納空間内に塵芥を押し入れる積込装置とを有し、前記積込装置は塵芥と接した状態で駆動する押し込み部材を有し、当該押し込み部材と他の部材との間に、塵芥収納空間の外部と連通する隙間が一時的に又は常時存在し、前記押し込み部材と前記他の部材とに跨がって取り付けられ前記隙間を覆うカバー部材が設けられていることを特徴とする塵芥収集車。
【請求項２】
カバー部材は、前記隙間の塵芥収納空間側に設けられていることを特徴とする請求項１に記載の塵芥収集車。
【請求項３】
カバー部材はゴム又は樹脂を素材とするものであり、カバー部材の辺部に孔又は切り欠きが設けられ、孔又は切り欠きを有する押さえ板がカバー部材の辺部に押し当てられ、押さえ板の孔又は切り欠きとカバー部材の孔又は切り欠きを連通させてネジが挿通され、カバー部材が押し込み部材又は他の部材に取り付けられていることを特徴とする請求項１又は２に記載の塵芥収集車。
【請求項４】
塵芥が投入される塵芥投入空間と、塵芥投入空間の中で回転して塵芥を一定の高さにすくい上げる回転板とを有し、押し込み部材は所定の揺動軸を中心として揺動し、回転板の表面を拭って塵芥を塵芥収納空間内に押し入れる押し込み板であり、
塵芥投入空間の上部には塵芥収納空間の壁面構成板があり、前記壁面構成板と前記押し込み部材とによって塵芥収納空間の車両後端側の一部又は全部が閉塞され、前記押し込み部材と前記壁面構成板との間に塵芥収納空間の外部と連通する隙間が一時的に又は常時存在し、前記押し込み部材と前記壁面構成板とに跨がって前記カバー部材が設けられていることを特徴とする請求項１乃至３のいずれかに記載の塵芥収集車。
【請求項５】
塵芥が投入される塵芥投入空間と、移動部材が設けられ、当該移動部材は上下方向の成分を有して移動する主移動部材と、当該主移動部材の先端に回動可能に設けられた押し込み部材とを有し、主移動部材を動作させて押し込み部材を塵芥投入空間内に差し入れると共に押し込み部材を回動して塵芥をすくい、主移動部材を引き上げて塵芥を塵芥収納空間内に押し入れるものであり、
前記押し込み部材と前記主移動部材との間に塵芥収納空間の外部と連通する隙間が一時的に又は常時存在し、前記押し込み部材と前記主移動部材とに跨がって前記カバー部材が設けられていることを特徴とする請求項１乃至３のいずれかに記載の塵芥収集車。
【請求項６】
車両に搭載される塵芥収集装置において、塵芥を収納する塵芥収納空間と、塵芥収納空間内に塵芥を押し入れる積込装置とを有し、前記積込装置は塵芥と接した状態で揺動又は回転する押し込み部材を有し、当該押し込み部材と他の部材との間に、塵芥収納空間の外部と連通する隙間が一時的に又は常時存在し、前記押し込み部材と前記他の部材とに跨がって取り付けられ前記隙間を覆うカバー部材が設けられていることを特徴とする塵芥収集装置。
【発明の詳細な説明】
【技術分野】
【０００１】
本発明は、塵芥を収集して運搬する塵芥収集車に関するものである。また本発明は、塵芥収集車の主要構成たる塵芥収集装置に関するものである。
【背景技術】
【０００２】
家庭から排出される一般ごみや、飲食店等から排出される生ゴミ等を収集する装置として、塵芥収集車２００が知られている。
塵芥収集車２００は、図１０（ａ）の様に車両１０に塵芥収集装置２０１を搭載したものである。
塵芥収集装置２０１は、塵芥を収容する塵芥収容箱１２と、塵芥投入箱２０３によって構成されている。塵芥収容箱１２は、図１０（ｂ）の様に車両１０の後端側が開口した箱であり、他方の塵芥投入箱２０３は、塵芥収容箱１２の開口部分を覆う位置にある。即ち塵芥投入箱２０３は、図１０（ａ）（ｂ）の様に塵芥収容箱１２を蓋するものであり、塵芥収容箱１２と塵芥投入箱２０３とによって、略密閉された塵芥収納空間２０５が形成される。
そして塵芥投入箱２０３には、図１１、図１２の様に塵芥が投入される塵芥投入空間２０６と、塵芥投入空間２０６に投入された塵芥を塵芥収容箱１２内の塵芥収納空間２０５に押し入れる積込装置２０７，２０８が内蔵されている。
【０００３】
現在使用されている積込装置２０７，２０８は、「回転板式積込装置」と、「プレス式積込装置」に大別される。
回転板式積込装置２０７は、図１１の様に揺動式の押し込み板２と、回転板３とが組み合わされた構造のものである。
即ち回転板式積込装置２０７では、塵芥投入空間内２０６に回転板３がある。当該回転板３は、水平軸６を中心として回転する。
また押し込み板２は、回転板３の上部であって、塵芥投入箱２０３の後端側に設けられている。押し込み板２は、水平軸８を中心として、車両１０の前後方向に揺動する。
【０００４】
回転板式積込装置２０７では、塵芥投入空間２０６に投入された塵芥７を回転板３を回転させることによって一定の高さにすくい上げる。そして押し込み板２を揺動させ、押し込み板２の先端で回転板３の表面を拭い、塵芥７を塵芥収容箱１２内の塵芥収納空間２０５内に押し入れる。
【０００５】
一方、「プレス式積込装置」は、図１２の様に、スライド板２０９と、押し込み板２０２とが組み合わされた構造のものである。
即ちプレス式積込装置２０８では、斜め方向に昇降するスライド板２０９を有している。そしてスライド板２０９の先端に押し込み板２０２が設けられている。押し込み板２０２は、水平軸２０４を中心として揺動する。
【０００６】
プレス式積込装置２０８では、図１２（ａ）の様に押し込み板２０２をスライド板２０９に対して１８０度以上に開いた姿勢にし、この姿勢の状態でスライド板２０９を降下し、押し込み板２０２を塵芥投入空間２０６に差し入れる。そしてこの状態で、押し込み板２０２を図１２（ｂ）の様に時計方向に回転して塵芥７をすくう。その後に、図１２（ｃ）の様にスライド板２０９を上昇させ、塵芥７をすくった状態の押し込み板２０２を引き上げ、塵芥７を塵芥収納空間２０５内に押し入れる。
【先行技術文献】
【特許文献】
【０００７】
【特許文献１】特開２０１１−２３０８８８号公報
【発明の概要】
【発明が解決しようとする課題】
【０００８】
従来技術の塵芥収集車２００は、生ゴミ等の塵芥７を効率良く塵芥収納空間２０５に詰め込むことができ、生ゴミ７等の積込作業が容易である。また生ゴミ７等が高密度に塵芥収納空間２０５に詰め込まれるので、搬送効率も高い。
しかしながら、従来技術の塵芥収集車２００は、作業後の清掃作業が手間であるという問題がある。
即ち塵芥収集車２００は、市中から生ゴミ等の塵芥７を集め、廃棄物処理場で図１０（ｂ）の様に塵芥投入箱２０３を揺動させて塵芥収容箱１２を開き、内部に溜められた塵芥７を排出する。これを繰り返し、一日の収集作業を終えると、塵芥収容箱１２の内部等を清掃する。
塵芥収容箱１２は、空洞であり、且つ広いのでシャワーノズル等から水を噴射することにより、容易に内部の清掃を行うことができる。
【０００９】
しかしながら、従来技術の塵芥収集車２００では、必要な清掃箇所は、塵芥収容箱１２の内部にとどまらず、押し込み板２，２０２の周辺についても清掃する必要がある。
例えば、回転板式積込装置２０７は、図１１の様に、押し込み板２が塵芥収容箱１２の開口１５にあって塵芥収容箱１２の蓋の一部として機能するものであり、実質的に押し込み板２が塵芥収納空間２０５の後端壁の一部を構成している。
即ち、塵芥投入箱２０３の内部であって、その上部には、前壁と称される壁面構成板２１１が設けられている。塵芥投入箱２０３が正規の位置に装着された際、壁面構成板２１１は塵芥収容箱１２の開口の上部だけを覆う。そして壁面構成板２１１が存在しない領域に、押し込み板２が配置されている。
そのため押し込み板２には、塵芥収容箱１２内に詰め込まれた塵芥が接する。また塵芥は、押し込み板２によって、ぎゅうぎゅう詰めに押し込まれており、塵芥収容箱１２内においては、塵芥が相当に圧力を持っている。
【００１０】
ところが回転板式積込装置２０７では、構造上、押し込み板２と壁面構成板２１１との間に隙間２１２が生じてしまう。
すなわち、図１１の拡大した各円内の様に、押し込み板２は、塵芥投入箱２０３の後端側に設けられており、水平軸８を中心として、車両の前後方向に揺動する。
壁面構成板２１１は、押し込み板２の上部側を遮蔽するが、押し込み板２が揺動するものであるから、壁面構成板２１１の下辺と押し込み板２とを直接的に接触させることができず、両者の間に僅かに隙間２１２を設けている。この隙間２１２は、塵芥収納空間２０５内と、塵芥収納空間２０５の外部とを連通するものである。なお隙間２１２の外側には蓋板４６で覆われた上部空間１８がある。
仮に隙間２１２を設けない設計であっても、押し込み板２が揺動する際に一時的に隙間２１２が出来たり、隙間２１２が大きくなる場合がある。
そして押し込み板２は揺動するものであるから、壁面構成板２１１と押し込み板２との間に相対移動があり、前記した隙間２１２に生ゴミ等が噛み込み易い。そして噛み込んだ生ゴミ等が、隙間２１２から上部空間１８に脱してしまう。
【００１１】
そのため作業者は、収集作業が終了した後、塵芥投入箱２０３の上部に設けた蓋板４６を開き、内部を清掃したり、噛み込んだ生ゴミ等を除去する必要がある。
しかしながら、この作業は、汚れ作業であり、且つ強烈な悪臭のもとで行わなければならない作業である。
【００１２】
この問題は、図１２の様なプレス式積込装置２０８でもあり得ることであり、スライド板２０９と押し込み板２０２との間の隙間に生ゴミ等が噛み込み、これを取り除く作業を強いられる。
【００１３】
そこで本発明は、従来技術の上記した問題点に注目し、押し込み板２，２０２等からのゴミのはみ出しや噛み込みを防止することが可能であり、清掃の手間を軽減することができる塵芥収集車及び塵芥収集装置を開発することを課題とするものである。
【課題を解決するための手段】
【００１４】
上記した課題を解決するための請求項１に記載の発明は、車両と、車両に搭載された塵芥収集装置によって構成される塵芥収集車であって、前記塵芥収集装置は、塵芥を収納する塵芥収納空間と、塵芥収納空間内に塵芥を押し入れる積込装置とを有し、前記積込装置は塵芥と接した状態で駆動する押し込み部材を有し、当該押し込み部材と他の部材との間に、塵芥収納空間の外部と連通する隙間が一時的に又は常時存在し、前記押し込み部材と前記他の部材とに跨がって取り付けられ前記隙間を覆うカバー部材が設けられていることを特徴とする塵芥収集車である。
【００１５】
本発明の塵芥収集車では、必然的に生じてしまう隙間が、カバー部材で覆われている。即ち、本発明についても、押し込み部材と他の部材との間に隙間が生じてしまうが、本発明では、カバー部材が押し込み部材と他の部材とに跨がって取り付けられ、両者の間に生じてしまう隙間を覆う。
そのため当該隙間から生ゴミ等の塵芥が脱したり、隙間に塵芥が噛み込むことはない。そのため収集作業を終えた後の清掃が容易である。
また押し込み部材と他の部材とは、相対移動をするが、隙間を覆う部材が可撓性を有しているから、カバー部材が脱落したり断裂することはない。
【００１６】
請求項２に記載の発明は、カバー部材は、前記隙間の塵芥収納空間側に設けられていることを特徴とする請求項１に記載の塵芥収集車である。
【００１７】
本発明では、カバー部材が塵芥収納空間側に設けられているから、生ゴミ等の塵芥を噛み込むことが阻止される。
【００１８】
請求項３に記載の発明は、カバー部材はゴム又は樹脂を素材とするものであり、カバー部材の辺部に孔又は切り欠きが設けられ、孔又は切り欠きを有する押さえ板がカバー部材の辺部に押し当てられ、押さえ板の孔又は切り欠きとカバー部材の孔又は切り欠きを連通させてネジが挿通され、カバー部材が押し込み部材又は他の部材に取り付けられていることを特徴とする請求項１又は２に記載の塵芥収集車である。
【００１９】
本発明の塵芥収集車では、カバー部材を押さえ板を介してネジ止めされている。そのためカバー部材を取り替えることができる。
【００２０】
請求項４に記載の発明は、塵芥が投入される塵芥投入空間と、塵芥投入空間の中で回転して塵芥を一定の高さにすくい上げる回転板とを有し、押し込み部材は所定の揺動軸を中心として揺動し、回転板の表面を拭って塵芥を塵芥収納空間内に押し入れる押し込み板であり、塵芥投入空間の上部には塵芥収納空間の壁面構成板があり、前記壁面構成板と前記押し込み部材とによって塵芥収納空間の車両後端側の一部又は全部が閉塞され、前記押し込み部材と前記壁面構成板との間に塵芥収納空間の外部と連通する隙間が一時的に又は常時存在し、前記押し込み部材と前記壁面構成板とに跨がって前記カバー部材が設けられていることを特徴とする請求項１乃至３のいずれかに記載の塵芥収集車である。
【００２１】
本発明は、「回転式積込装置」を採用する塵芥収集車に本発明を適用したものである。前記した様に回転式積込装置を採用する塵芥収集車では、前壁等の壁面構成板と、押し込み部材との間に隙間が生じてしまい、この隙間に生ゴミ等の塵芥を噛み込む。そのため本発明では、押し込み部材と壁面構成板とに跨がってカバー部材を設け、両者の間の隙間をカバー部材で覆うこととした。
【００２２】
請求項５に記載の発明は、塵芥が投入される塵芥投入空間と、移動部材が設けられ、当該移動部材は上下方向の成分を有して移動する主移動部材と、当該主移動部材の先端に回動可能に設けられた押し込み部材とを有し、主移動部材を動作させて押し込み部材を塵芥投入空間内に差し入れると共に押し込み部材を回動して塵芥をすくい、主移動部材を引き上げて塵芥を塵芥収納空間内に押し入れるものであり、前記押し込み部材と前記主移動部材との間に塵芥収納空間の外部と連通する隙間が一時的に又は常時存在し、前記押し込み部材と前記主移動部材とに跨がって前記カバー部材が設けられていることを特徴とする請求項１乃至３のいずれかに記載の塵芥収集車である。
【００２３】
本発明は、「プレス式積込装置」を採用する塵芥収集車に本発明を適用したものである。前記した様にプレス式積込装置を採用する塵芥収集車では、スライド板等の主移動部材と押し込み部材との間の隙間に生ゴミ等の塵芥を噛み込み、これを取り除く作業を強いられる。そのため本発明では、押し込み部材と主移動部材とに跨がってカバー部材を設け、両者の間の隙間をカバー部材で覆うこととした。
【００２４】
請求項６に記載の発明は、車両に搭載される塵芥収集装置において、塵芥を収納する塵芥収納空間と、塵芥収納空間内に塵芥を押し入れる積込装置とを有し、前記積込装置は塵芥と接した状態で揺動又は回転する押し込み部材を有し、当該押し込み部材と他の部材との間に、塵芥収納空間の外部と連通する隙間が一時的に又は常時存在し、前記押し込み部材と前記他の部材とに跨がって取り付けられ前記隙間を覆うカバー部材が設けられていることを特徴とする塵芥収集装置である。
【００２５】
本発明の塵芥収集装置は、車両に搭載することにより、塵芥収集車を構成することができる。
【発明の効果】
【００２６】
本発明の塵芥収集車及び塵芥収集装置は、必然的にできてしまう隙間がカバー部材によって覆われ、塵芥収納空間内のゴミ等が外部に出ない。またゴミ等の塵芥が前記した隙間に噛み込むこともない。そのため本発明の塵芥収集車及び塵芥収集装置は、収集作業後における清掃作業が容易である。
【図面の簡単な説明】
【００２７】
【図１】本発明の実施形態の塵芥収集車の塵芥投入箱の要部の斜視図である。
【図２】図１の塵芥収集車の壁面構成板と押し込み板及び回転板周辺の要部断面図であり、（ａ）は回転板が準備姿勢であり、且つ押し込み板の下端側が後端側に退避している状態を示し、（ｂ）は回転板が回転して塵芥をすくい上げ、押し込み板の下端側が後端側に退避している状態を示し、（ｃ）は、押し込み板の下端側が前方に移動して回転板上の塵芥を塵芥収容箱側に押し込んだ状態を示す。
【図３】図２の壁構成板と押し込み板の間の隙間近傍の拡大図であり、（ａ）は回転板が回転して塵芥をすくい上げることができる状態となり、押し込み板の下端側が後端側に退避している状態を示し、（ｂ）は、押し込み板の下端側が前方に移動し回転板上を通過した状態を示す。
【図４】（ａ）、（ｂ）は、図３におけるカバー部材及び隙間部分の拡大図である。
【図５】図１の塵芥収集車におけるカバー部材の取り付け構造を説明する斜視図である。
【図６】本発明の他の実施形態の塵芥収集車の塵芥投入箱の断面図である。
【図７】図６の塵芥収集車の塵芥投入箱の要部の斜視図である。
【図８】図６の塵芥収集車のスライド板と押し込み板周辺の要部断面図であり、（ａ）はスライド板が降下した状態を示し、（ｂ）はスライド板を塵芥投入空間に差し入れて押し込み板を回動し塵芥をすくっている状態を示し、（ｃ）はスライド板を引き上げて塵芥を塵芥収容箱側に押し込んだ状態を示す。
【図９】（ａ）、（ｂ）は、図８におけるカバー部材及び隙間部分の拡大図である。
【図１０】本発明及び従来技術の塵芥収集車の側面図であり、（ａ）は、塵芥収容箱の開口を塵芥投入箱で塞いだ状態を示し、（ｂ）は、塵芥投入箱を揺動させて塵芥収容箱の開口を開いた状態を示し、（ｃ）は蓋板を開いて上部空間１８を開放した状態を示す。
【図１１】従来技術の塵芥収集車の壁面構成板と押し込み板及び回転板周辺の要部断面図であり、（ａ）は回転板が準備姿勢であり、且つ押し込み板の下端側が後端側に退避している状態を示し、（ｂ）は回転板が回転して塵芥をすくい上げ、押し込み板の下端側が後端側に退避している状態を示し、（ｃ）は、押し込み板の下端側が前方に移動して塵芥を塵芥収容箱側に押し込んだ状態を示す。
【図１２】従来技術の塵芥収集車のスライド板と押し込み板周辺の要部断面図であり、（ａ）はスライド板を降下した状態を示し、（ｂ）はスライド板を塵芥投入空間に差し入れて押し込み板を回動し塵芥をすくった状態を示し、（ｃ）はスライド板を引き上げて塵芥を塵芥収容箱側に押し込んだ状態を示す。
【発明を実施するための形態】
【００２８】
以下さらに本発明の実施形態について説明する。
本実施形態の塵芥収集車１は、「回転板式積込装置４」を採用したものである。
塵芥収集車１の外観形状は、従来技術と何ら変わるものではない。即ち本実施形態の塵芥収集車１は、図１０の様に、車両１０に塵芥収集装置１１が搭載されたものである。塵芥収集装置１１は、従来技術と同様に、塵芥を収容する塵芥収容箱１２と、塵芥投入箱１３によって構成されている。
一方の塵芥収容箱１２は、図１，図１０（ｂ）の様に、車両１０の後端側が開口した箱である。即ち塵芥収容箱１２は、後端に大きな開口１５があり、当該開口１５を除く５面が頑丈な鋼板によって覆われた構造をしている。本実施形態では、塵芥収容箱１２の中に塵芥収納空間２０５が形成されている。
【００２９】
他方の塵芥投入箱１３は、塵芥収容箱１２の後端にヒンジ１６によって取り付けられており、図示しないシリンダーによって、図１０（ａ）の様な開口１５を蓋する姿勢と、図１０（ｂ）の様な開口１５を開放する姿勢をとることができる。
また塵芥投入箱１３には、図１０の様に蓋板４６で覆われた上部空間１８がある。
【００３０】
本実施形態で採用する塵芥投入箱１３は、「回転板式積込装置４」を採用するものであり、図１、図２の様に、内部に壁面構成板２０と、揺動式の押し込み板２と、回転板３と、塵芥投入槽（塵芥投入空間）５が内蔵されている。なお本実施形態では、壁面構成板２０が請求項の「他の部材」に相当する。
また塵芥投入箱１３は、左右に側板２１ａ，２１ｂが設けられている。
前記した壁面構成板２０は、両端が側板２１ａ，２１ｂに溶接されたものであり、図１０（ａ）の様な開口１５を蓋する姿勢の際に、開口１５の上部側を覆う。ただし、壁面構成板２０の全高は、開口１５の全高よりも低く、図１、図２の様に、開口１５の下部側は壁面構成板２０の下辺から下に露出する。即ち壁面構成板２０の下辺よりも下には、図２（ａ）の様に露出部３０がある。
【００３１】
塵芥投入槽５は、底面が半円形の金属槽であり、壁面構成板２０の下に配されている。塵芥投入槽５の内部は、塵芥７が投入される塵芥投入空間として機能する。
押し込み板２は、中間部が左右の側板２１ａ，２１ｂに軸止されている。押し込み板２の揺動軸２５ａ，２５ｂは、図３、図４の様に壁面構成板２０の下辺の近傍にある。前記した様に押し込み板２は、中間部が軸止されているから、押し込み板２の下部側は、壁面構成板２０の下辺よりも下に突出して露出部３０を覆う。そのため実質的に押し込み板２の下側半分が、塵芥収納空間２０５の蓋として機能する。
【００３２】
また押し込み板２の上辺近傍には、図１、図２の様にシリンダー２２ａ，２２ｂのロッド２３ａ，ｂが接続されている。またシリンダー２２ａ，２２ｂの本体側は図１の様に壁面構成板２０の上端近傍に接続されている。なお、ロッド２３ａ，２３ｂ及び本体側は、図示しないピンで回転可能に接続されている。
そのため、シリンダー２２ａ，２２ｂのロッド２３ａ，２３ｂを伸縮すると、壁面構成板２０が揺動軸２５ａ，２５ｂを中心として揺動する。
【００３３】
回転板３は、塵芥投入槽５の中にあり、塵芥投入槽５の側面（左右の側板２１ａ，２１ｂの一部）に回転可能に支持されている。また回転板３の回転軸２４は、右側板２１ｂからさらに外部に突出し、スプロケット２６に接続されている。またスプロケット２６にはチェーン２７が懸架され、最終的に図示しない油圧モータと係合している。
そのため図示しない油圧モータを回転させることにより、回転板３が塵芥投入槽５で回転する。
【００３４】
本実施形態の塵芥収集車１は、従来技術と同様に、塵芥投入槽５内に生ゴミ等の塵芥７を投入し、回転板３を回転して図２（ｂ）の様にこれを回転板３で一定の高さにすくい上げる。そして回転板３の回転を停止して、回転板３の表面を図２（ｂ）の様に略平行に保つ。その状態で押し込み板２を揺動軸２５ａ，２５ｂを中心として揺動し、図２（ｃ）の様に回転板３の表面を拭って塵芥７を塵芥収納空間１７内に押し入れる。
【００３５】
ここで本実施形態の塵芥収集車１についても、壁面構成板２０の下辺と押し込み板２の中間部分との間に図３、図４の様に隙間３１がある。しかしながら本実施形態では、隙間３１が可撓性を有するカバー部材３２で覆われており、生ゴミ等の塵芥７が隙間３１に噛み込むことはない。
以下、この点について説明する。
本実施形態の塵芥収集車１では、壁面構成板２０と、押し込み板２との間に、図２，３，４の様にカバー部材３２が装着されている。
【００３６】
カバー部材３２は、厚めのシートであって、ゴム等の可撓性を有しかつ弾性を有する素材で作られている。
カバー部材３２は、図５の様な四角形であり、その両辺に孔３３，３５が設けられている。即ち、壁面構成板２０に取り付けられる側の辺に複数の孔３３が設けられている。同様に押し込み板２に取り付けられる側の辺に複数の孔３５が設けられている。
【００３７】
また壁面構成板２０の裏面側（塵芥収納空間１７側）であってその下辺近傍には、取り付け板３６が溶接されている。取り付け板３６は、鋼材で作られた帯状の板であり、前記したカバー部材３２の孔３３に相当する位置に雌ねじ孔３７が設けられている。
【００３８】
同様に、押し込み板２の裏面側（塵芥収納空間１７側）であってその中間部には、取り付け板３８が溶接されている（図４）。取り付け板３８についても、前記したカバー部材３２の孔３５に相当する位置に雌ねじ孔４０が設けられている。
【００３９】
さらに本実施形態では、取り付け金具として押さえ板４１，４３が利用されている。押さえ板４１，４３は、鋼材で作られた帯状の板であり、前記したカバー部材３２の孔３３，３５に相当する位置に孔４５が設けられている。
【００４０】
本実施形態では、取り付け板３６と、押さえ板４１との間に、カバー部材３２の上辺を挟むことによって、カバー部材３２の上辺が壁面構成板２０の裏面側（塵芥収納空間１７側）に取り付けられている。
即ち取り付け板３６の雌ねじ孔３７と、カバー部材３２の孔３３及び押さえ板４１の孔４５を合致させ、ボルト５０を挿通してこれを締めつけ、押さえ板４１と取り付け板３６との間でカバー部材３２の一辺を挟むことによってカバー部材３２が壁面構成板２０の裏面側（塵芥収納空間１７側）に取り付けられている。
【００４１】
同様に、図４（ａ）に示す様に、取り付け板３８と、押さえ板４３との間に、カバー部材３２の下辺を挟むことによって、カバー部材３２の下辺が押し込み板２の裏面側（塵芥収納空間１７側）に取り付けられている。
即ち取り付け板３８の雌ねじ孔４０と、カバー部材３２の孔３５及び押さえ板４３の孔４５を合致させ、ボルト５１を挿通してこれを締めつけ、押さえ板４３と取り付け板３８との間でカバー部材３２の一辺を挟むことによってカバー部材３２が押し込み板２の裏面側（塵芥収納空間１７側）に取り付けられている。
【００４２】
壁面構成板２０と押し込み板２は剛性を有している。よって、取り付け板３６、３８を省略し、壁面構成板２０と押し込み板２にボルト５０、５１と螺合するねじ孔を設けてもよい。また、壁面構成板２０と押し込み板２に貫通孔を設けてボルト５０、５１を挿通させ、塵芥収納空間２０５の外側からナットでボルト５０、５１を固定してもよい。
【００４３】
その結果、カバー部材３２は、壁面構成板２０と押し込み板２とに跨がって取り付けられ、図４の様に隙間３１が内側からカバー部材３２で覆われている。そのため生ゴミ等が隙間３１と接することはなく、生ゴミ等が隙間３１に噛み込むことはない。また生ゴミ等が隙間３１から塵芥投入箱１３上方の上部空間１８に飛び出すことはない。
またカバー部材３２は弾性変形するゴムで作られていて容易に撓むから、押し込み板２が動作しても破損することはない。
即ち押し込み板２が動作すると、取り付け板３６と、押さえ板４１の相対位置関係が変化し、図２，図３，図４の様にカバー部材３２の両辺の位置や距離が変わる。しかしながら、カバー部材３２はゴムで作られていて容易に撓むから、図２，図３，図４の様に両辺の位置や距離の変化が吸収され、隙間３１を覆い続ける。そのため押し込み板２が動作している間も生ゴミ等が隙間３１と接することはなく、生ゴミ等が隙間３１に噛み込むことはない。また生ゴミ等が隙間３１から塵芥投入箱１３上方の上部空間１８に飛び出すことはない。
そのため本実施形態の塵芥収集車１は、清掃が簡単である。
【００４４】
次に本発明の他の実施形態について説明する。
以下に示す実施形態は、「プレス式積込装置６」を採用した塵芥収集車１００（図６）である。
塵芥収集車１００は、塵芥収容箱１０１の構造だけが先の実施形態と相違するものである。先の実施形態と同一の部材には同一の番号を付し、重複した説明を省略する。
本実施形態の塵芥収集車１００で採用する塵芥収容箱１０１には、図６，図７，図８の様に、内部に隔壁１０３と、スライド板（主移動部材）１０２と、押し込み板（押し込み部材）１０４と、塵芥投入槽１０５が内蔵されている。
また塵芥収容箱１０１は、左右に側板１０５ａ，１０５ｂが設けられている。
【００４５】
前記した隔壁１０３は、先の実施形態と同様に両端が側板１０５ａ，１０５ｂに溶接されたものであり、図１０（ａ）の様な開口１５を蓋する姿勢の際に、開口１５の上部側を覆う。ただし、隔壁１０３の全高は、開口１５の全高よりも低く、図８の様に、開口１５の下部側は隔壁１０３の下辺から下に露出する。即ち隔壁１０３の下辺よりも下には、露出部１０６がある。
【００４６】
塵芥投入槽１０５は、底面が半円形の金属槽であり、隔壁１０３の下に配されている。
【００４７】
スライド板（主移動部材）１０２は、図７の様に側面にコロ１１５を有している。スライド板（主移動部材）１０２は、隔壁１０３の外側面にあり、図示しないレールに前記したコロ１１５が係合していて、斜め方向に摺動可能である。即ちスライド板１０２の一部が図示しないレールと係合している。そしてスライド板１０２と左右の側板１０５ａ，１０５ｂとの間にシリンダー１１０ａ，１１０ｂが取り付けられており、シリンダー１１０ａ，１１０ｂを伸縮させることによってスライド板１０２が斜め方向に上下動する。
【００４８】
また押し込み板１０４は、スライド板（主移動部材）１０２の下端近傍に軸止されている。押し込み板１０４の揺動軸１１１ａ，１１１ｂは、スライド板１０２の下端近傍にある。
また押し込み板１０４の上部近傍とスライド板１０２との間にシリンダー１１２ａ，１１２ｂが取り付けられている。そのためシリンダー１１２ａ，１１２ｂを伸縮すると、押し込み板１０４が揺動する。
【００４９】
本実施形態の塵芥収集車１００の基本的な動作は、従来技術と同様である。即ち押し込み板１０４をスライド板１０２に対して開いた姿勢にした状態で、スライド板１０２を降下し、押し込み板１０４を塵芥投入槽５に差し入れる。そしてこの状態で、押し込み板１０４を回転して塵芥７をすくう。その後に、スライド板１０２を上昇させて塵芥７をすくった状態の押し込み板１０４を引き上げ、塵芥７を塵芥収納空間１７内に押し入れる。
【００５０】
ここで本実施形態の塵芥収集車１００についても、スライド板１０２の下辺と押し込み板１０４の中間部分との間に隙間１２０（図９）ができる。しかしながら本実施形態についても、隙間１２０がカバー部材３２で覆われており、生ゴミ等が隙間１２０に噛み込むことはない。
カバー部材３２の構造及び取り付け方法は、先の実施形態と同一である。
即ち本実施形態の塵芥収集車１００についても、押さえ板４１と取り付け板３６との間でカバー部材３２の一辺を挟むことによってカバー部材３２がスライド板１０２の裏面側（塵芥収納空間１７側）に取り付けられている。
同様に、取り付け板３８と、押さえ板４３との間に、カバー部材３２の下辺を挟むことによって、カバー部材３２の下辺が押し込み板１０４の裏面側（塵芥収納空間１７側）に取り付けられている。
【００５１】
その結果、カバー部材３２は、スライド板１０２と押し込み板１０４とに跨がって取り付けられ、隙間１２０が内側からカバー部材３２で覆われている。そのため生ゴミ等が隙間１２０と接することはなく、生ゴミ等が隙間１２０に噛み込むことはない。また生ゴミ等が隙間１２０から上部空間１８に飛び出すことはない。
またスライド板１０２と押し込み板１０４は、相対位置関係が変化するが、カバー部材３２はゴムで作られていて容易に撓むから、図８、図９の様に位置や距離の変化が吸収され、隙間１２０を覆い続ける。そのため隙間１２０に生ゴミ等が噛み込んだり、隙間１２０から上部空間１８に生ゴミ等が飛び出すことはない。
【００５２】
以上説明した実施形態では、押さえ板４１，４３を使用してカバー部材３２を取り付ける構成を採用した。この構成は、カバー部材３２を押さえ板４３等に密接させることができ、推奨される。またカバー部材３２を取り替える際の作業も容易である。即ちカバー部材３２は、消耗品であり、一定の期間ごとに取り替えることが推奨される。本実施形態の構成によると、ボルトを外すことによって、押さえ板４３等を取り外し、カバー部材３２を取り替えることができる。
また以上説明した実施形態では、カバー部材３２や押さえ板４１，４３に取り付け用の孔を設けたが、孔に代わって切り欠きを採用してもよい。
【００５３】
また上記した実施形態では、カバー部材３２としてシート状のものを例示した。即ち実施形態では、カバー部材３２は表面が平滑なものを例示した。しかしながら本発明は、この構成に限定されるものではなく、蛇腹状のものであってもよい。また弾性を有しないものであってもよい。
【００５４】
上記した実施形態では、カバー部材３２を塵芥収納空間２０５側に設けたが、外側に設けてもよい。
【符号の説明】
【００５５】
１    塵芥収集車
２    押し込み部材
４    積込装置（回転板式）
５    塵芥投入槽（塵芥投入空間）
６    積込装置（プレス式）
７    塵芥
１０  車両
１１  塵芥収集装置
１７  塵芥収納空間
２０  壁面構成板（他の部材）
３１  隙間
３２  カバー部材
３３、３５  カバー部材の辺部の孔
４１、４３  押さえ板
４５    押さえ板の孔
５０、５１  ボルト
１０２  主移動部材
１０４  押し込み板（押し込み部材）
１０５  塵芥投入槽（塵芥投入空間）
【図１】
2015034090.tif 000003
【図２】
2015034090.tif 000004
【図３】
2015034090.tif 000005
【図４】
2015034090.tif 000006
【図５】
2015034090.tif 000007
【図６】
2015034090.tif 000008
【図７】
2015034090.tif 000009
【図８】
2015034090.tif 000010
【図９】
2015034090.tif 000011
【図１０】
2015034090.tif 000012
【図１１】
2015034090.tif 000013
【図１２】
2015034090.tif 000014